(57)【要約】【課題】情報の読み出し又は情報の書き込みを高速に行うことが可能な光ディスク装置のレンズホルダを提供する。【解決手段】光ディスクに記録されている情報の読み出し等を行う光ピックアップ装置１０に用いるレンズホルダ２０において、光ディスクの面及び光ディスクのトラックの接線に直角となるレンズホルダ２０の側面に、巻線型のトラッキングコイル２４又は巻線型のフォーカシングコイル２６を接着して、上記課題を解決する。【選択図】図２
2008059625.tif 000002
【特許請求の範囲】
【請求項１】
光ディスクに記録されている情報の読み出し等を行う光ピックアップ装置に用いられ、前記光ディスクの面及び前記光ディスクのトラックの接線に直角となる側面を有するレンズホルダであって、
前記側面には、巻線型のトラッキングコイル及び／又は巻線型のフォーカシングコイルを位置決めするための突出したボスが設けられていることを特徴とするレンズホルダ。
【請求項２】
光ディスクに記録されている情報の読み出し等を行う光ピックアップ装置に用いられ、前記光ディスクの面及び前記光ディスクのトラックの接線に直角となる側面を有するレンズホルダであって、
前記側面には、巻線型のトラッキングコイル及び／又は巻線型のフォーカシングコイルが接着されていることを特徴とするレンズホルダ。
【請求項３】
請求項２に記載のレンズホルダにおいて、
前記巻線型のトラッキングコイルが、前記光ディスクの面に対して垂直の方向に長い略直方体形状であり、前記巻線型のフォーカシングコイルが、前記光ディスクのトラックの法線に対して平行な方向に長い略直方体形状であることを特徴とするレンズホルダ。
【請求項４】
請求項２又は３に記載のレンズホルダにおいて、
前記巻線型のトラッキングコイル及び／又は前記巻線型のフォーカシングコイルの中心部には、位置決め用の中空部が設けられていることを特徴とするレンズホルダ。
【請求項５】
請求項４に記載のレンズホルダにおいて、
前記位置決め用中空部は、略四角形状に形成されていることを特徴とするレンズホルダ。
【請求項６】
請求項２〜５のいずれか１項に記載のレンズホルダにおいて、
前記巻線型のトラッキングコイル及び／又は前記巻線型のフォーカシングコイルの端面が、レンズホルダの側面に露出していることを特徴とするレンズホルダ。
【請求項７】
請求項１〜６のいずれか１項に記載のレンズホルダにおいて、
巻線型のトラッキングコイル及び／又は巻線型のフォーカシングコイルの中心部を位置決めするボスを備えることを特徴とするレンズホルダ。
【請求項８】
請求項７に記載のレンズホルダにおいて、
前記ボスは、複数の略円柱形状の凸部から構成されるボスであることを特徴とするレンズホルダ。
【請求項９】
光ディスクに記録されている情報の読み出し等を行う光ピックアップ装置に用いられるレンズホルダの組立方法であって、
前記レンズホルダの側面の突出したボスに、巻線型のトラッキングコイル及び／又は巻線型のフォーカシングコイルを位置決めする工程と、
前記巻線型のトラッキングコイル及び／又は前記巻線型のフォーカシングコイルを前記レンズホルダに仮接着する工程と、
端子板を前記レンズホルダに固定する工程と、
前記巻線型のトラッキングコイル及び／又は巻線型のフォーカシングコイルのリード線を前記端子板に結線する工程と、
前記巻線型のトラッキングコイル及び／又は巻線型のフォーカシングコイルと前記レンズホルダとに接着剤を塗布する工程と、
前記接着剤を硬化させる工程と、を含むことを特徴とするレンズホルダの組立方法。
【発明の詳細な説明】
【技術分野】
【０００１】
本発明は、光ディスクに記録されている情報の読み出し等を行う光ピックアップ装置に用いるレンズホルダ、及びそのレンズホルダの組立方法に関し、特に巻線を用いた高効率のトラッキングコイル及び／又はフォーカシングコイルを駆動用に用いたレンズホルダ、及びレンズホルダの組立方法に関する。
【背景技術】
【０００２】
近年、光ディスクに記録されている情報の読み出し処理、又は光ディスクに対する情報の書き込み処理に要する時間を短縮するために、光ディスクの高回転化の検討が進められている。こうした光ディスクの高回転化に伴い、光ピックアップ装置においては、外部から光ディスクドライブに振動が伝わった場合であっても、光ピックアップ装置のトラッキング性能やフォーカシング性能を維持するために、従来に無い高推力化や高応答性が求められている。
【０００３】
こうした光ピックアップ装置に対する高推力化や高応答性の要求に対して、光ピックアップ装置を構成するレンズホルダにおいては、そのレンズホルダに設けられているトラッキングコイルやフォーカシングコイルのターン数の不足が問題となっている。
【０００４】
例えば、レンズホルダとコイルとの間にＦＰＣ基板を備えた従来のレンズホルダでは、レンズホルダを制御する際に、磁界中に置かれたトラッキングコイル及び／又はフォーカシングコイルに電流を流して推力が発生してから、その推力がレンズホルダ本体に伝わるまでに、前記ＦＰＣ基板に起因する弾性や非線形性が存在する。この弾性や非線形性の存在により、レンズホルダを駆動制御する際に、駆動指令に対する応答遅れ等の現象が生ずる。この応答遅れの存在により、光ピックアップ装置におけるレンズホルダのトラッキング、フォーカシング、チルティング等の制御性を向上させることができないという不具合を生じている。
【０００５】
また、光ピックアップ用レンズをレンズの光軸方向に駆動するフォーカシングコイルと、光ピックアップ用レンズをレンズの光軸方向と直角の方向に駆動するトラッキングコイルとから発生する推力により生ずる振動を防止するための発明が知られている（例えば、特許文献１を参照。）。この発明では、レンズ駆動用コイルのうち、レンズの光軸方向に駆動するコイルとその光軸方向と直角の方向に駆動するコイルとを同一平面に配置すると共に、前記コイル同士を補強する補強材を設けている。
【０００６】
この特許文献１に記載のレンズ駆動用コイルは、フォーカシングコイルの領域とトラッキングコイルの領域との各領域にまたがって補強線を設けてある。このレンズ駆動用コイルは、磁石とヨークの間に配置され、プリントコイルの端子からコイル極に電流を流し、フォーカシング方向ないしトラッキング方向の推力を得ている。このレンズ駆動用コイルに電流を流した場合、例えばフォーカシングコイルには右方向への推力が生じ、トラッキングコイルには下方向への推力が生じたとしても、コイル同士を補強する補強材を設けてあるので、３０〜１０ｋＨｚの間で有害な振動が発生しないとされている。また、この発明では、レンズ駆動用プリントコイルに補強線を設けたことにより、プリントコイルを極めて薄型、軽量化できると共に、フォーカシング及びトラッキングの方向の異なる推力による振動を防止できるとされている。
【０００７】
このレンズホルダの製造方法は、先ず、多層からなるプリントコイルを作製し、このプリントコイルに接着剤を塗布するか又は粘着テープを貼付してレンズホルダと接着又は粘着し、その後、コイルの配線処理を行うことによってレンズホルダを組み立てる方法を用いている。
【０００８】
一方、外的要因による断線やショート不良を防止して歩留まりを向上させるために、通電時にマグネットと協働してレンズホルダにトラック方向の移動力を与えるトラッキングコイルと、前記レンズホルダにフォーカス方向の移動力を与えるフォーカシングコイルと、前記通電時に前記マグネットと協働して前記レンズホルダにチルト方向における移動力を与えるチルティングコイルとを有する光ピックアップ装置が知られている（例えば、特許文献２を参照。）。この光ピックアップ装置では、トラッキングコイル、フォーカシングコイル、及びチルティングコイルを多層基板上に形成し、その多層基板をインサート成形によって前記レンズホルダに固定している。
【０００９】
この特許文献２に記載の光ピックアップ装置では、磁界の中に配置されたコイルに電流を流すことによってコイルは推力を得て、その推力が多層基板を介してインサート成形されたレンズホルダに伝わることにより、レンズホルダを駆動している。そしてこの光ピックアップ装置では、トラッキングコイル、フォーカスコイル、及びチルティングコイルを一つの多層基板上に形成して、そのコイルの機能を有する多層基板をレンズホルダにインサート成形している。したがって、外部に銅線が露出しないため、外的要因による断線、ショート不良が発生せず、結果として、歩留まりの向上が可能になるとされている。
【００１０】
また、この光ピックアップ装置では、コイルとして多層基板のパターンを用いているので、コイルの抵抗値等の特性のバラツキが抑えられ、結果として光ピックアップの特性を均一にすることができるとされている。更に、コイルとレンズホルダとを一体に組み込んだ組立部品ごと次の工程に提供することができるため、巻線やコイルのアセンブリや、ボビンとレンズホルダとのアセンブリ工程が不要となり、大幅な工数削減が可能になるとされている。
【００１１】
また、軽量で制御性に優れたレンズホルダを提供するために、レンズホルダ又はボビンにコイルをインサート成形した発明が知られている（例えば、特許文献３及び４を参照。）。
【特許文献１】特開平８−２０３１０３号公報
【特許文献２】特開２００３−２７２２０１号公報（請求項２）
【特許文献３】特開２００６−１５５７５２号公報
【特許文献４】特開２００６−１５５７５３号公報
【発明の開示】
【発明が解決しようとする課題】
【００１２】
特許文献１に記載のレンズ駆動用コイルでは、駆動コイル間を横切って形成された補強線によって駆動コイル同士が補強されているので、プリントコイル（ＦＰＣ）を極めて薄型にして軽量化しても、有害な振動を抑えることができるとされている。また、補強線の材料として、コイルの材料と同一のものを用いることにより、補強線をコイルの作製と同時に作製することができるとされている。
【００１３】
ところが、この特許文献１に記載のレンズ駆動用コイルでは、磁界中に置かれたコイルに電流が流れると、そのコイルに対して磁界と電流の直角方向に推力が発生し、その力が補強材、プリントコイル基板、及び接着剤等を介してレンズホルダに伝わって駆動される。したがって、コイルに発生する推力によって、プリントコイルや接着剤又は粘着剤に弾性変形が発生し、高周波数領域における駆動の位相がずれるという現象が生じていた。駆動の際に位相ずれが生ずると、レンズホルダの応答性が悪くなったり、共振が発生する等して、ディスクのピットに対する追従性が悪化したりするために、情報の読み出し処理や情報の書き込み処理を早くすることができないという不具合を生じていた。
【００１４】
また、このレンズ駆動用コイルでは、プリントコイルとレンズホルダとを接着又は粘着する際の位置決め精度が悪くなりがちであり、トラッキングとフォーカスの制御間で推力のクロストークが発生し、レンズホルダの制御性が悪いという不具合を生じていた。
【００１５】
また、このレンズ駆動用コイルでは、光ピックアップ自体を小型軽量化する目的でプリントコイルを使用しているが、こうしたプリントコイルは、その構造上、コイルの巻数を増す設計変更や、ストロークの設計変更等の改良を容易に行うことができないという不具合を生じていた。
【００１６】
また、試作段階でプリントコイルの推力不足が発覚しても、推力増強のための設計変更をするためには、プリントパターンの再設計と、版、ジグ等の再製作、また、場合によっては光ピックアップ装置全体の形状に波及するような設計変更が必要となる場合があり、製品の納期遅れや、価格の向上を招くおそれがあった。特に光ピックアップ装置に用いるレンズホルダの大きさは、一辺の長さが数ｍｍ程度と小型であるので、容易に設計変更を行うことができず、後々深刻な問題にまで発展する場合が見られた。
【００１７】
また、このプリントコイルでは、導体にプリント基板の薄膜を用いているために、導体の抵抗値が大きいものであった。その抵抗値の大きさのために大きな推力を得ることが難しく、光ピックアップ装置を小型化することが困難となっていた。また、導体の抵抗値が大きいと発熱が多くなるという不具合を生じる。更に、プリントコイルは比較的質量が大きくなる傾向があるために、制御性を悪化させる等の不具合を生じていた。また、プリントコイルの性能を向上させようとすると、プリントコイルの多層化が必須となるが、多層化を行うとプリントコイル自体が割れやすくなるために、コイルが断線し易く、製造の作業者に慎重な取り扱いを要求するものとなり、製品歩留りの悪化が問題となっていた。
【００１８】
一方、特許文献２に記載の光ピックアップ装置では、駆動用のコイルの位置とレンズの位置が離れているために、コイルに推力が作用してもサスペンションワイヤの撓み等により、その推力に対応してレンズが変位しない可能性や、応答遅れが発生する可能性がある。
【００１９】
また、この光ピックアップ装置では、多層基板にコイルパターンを配置しているために、巻線型のコイルのように交互に線材を配設した高密度コイルを作製することが困難であり、駆動の際の推力を大きくすることが困難であるという不具合を生じている。
【００２０】
また、この光ピックアップ装置も多層基板上にコイルパターンを配置しているので、コイルの抵抗値が大きく、駆動の際の発熱量が多く、推力増強のための設計変更が容易でないという不具合を生じている。また、コイルパターンを多層基板上に配置しているので、コイルパターンに発生した推力が各多層基板及びその継ぎ目を介してレンズホルダに伝わるために、多層基板の撓みや、継ぎ目の非線形性等の影響により、力の伝達に関する周波数応答が悪化して、レンズホルダの制御性が悪化するという不具合を生じていた。
【００２１】
本発明は、上記課題を解決するためになされたものであって、その目的は、光ディスク装置において情報の読み出し又は情報の書き込みを高速に行うことを可能にするレンズホルダを提供することにある。
【００２２】
また、本発明の目的は、トラッキング駆動、フォーカシング駆動、チルティング駆動の制御性が優れた光ディスク装置のレンズホルダを、安価にて提供することにある。
【００２３】
また、本発明の目的は、制御性が優れた光ディスク装置のレンズホルダを安価にて提供するために、レンズホルダに巻線型のトラッキングコイル及び／又は巻線型のフォーカシングコイルを容易に位置決めして接着することが可能なレンズホルダを提供することにある。
【００２４】
また、本発明の目的は、レンズホルダに巻線型のトラッキングコイル及び／又は巻線型のフォーカシングコイルを容易に位置決めして接着するレンズホルダの組立方法を提供することにある。
【課題を解決するための手段】
【００２５】
上記課題を解決するための本発明のレンズホルダは、光ディスクに記録されている情報の読み出し等を行う光ピックアップ装置に用いられ、前記光ディスクの面及び前記光ディスクのトラックの接線に直角となる側面を有するレンズホルダであって、前記側面には、巻線型のトラッキングコイル及び／又は巻線型のフォーカシングコイルを位置決めするための突出したボスが設けられていることを特徴とする。
【００２６】
また、上記課題を解決するための本発明のレンズホルダは、光ディスクに記録されている情報の読み出し等を行う光ピックアップ装置に用いられ、前記光ディスクの面及び前記光ディスクのトラックの接線に直角となる側面を有するレンズホルダにおいて、前記側面には、巻線型のトラッキングコイル及び／又は巻線型のフォーカシングコイルが接着されていることを特徴とする。
【００２７】
本発明のレンズホルダにおいて、前記巻線型のトラッキングコイルが、前記光ディスクの面に対して垂直の方向に長い略直方体形状であり、前記巻線型のフォーカシングコイルが、前記光ディスクのトラックの法線に対して平行な方向に長い略直方体形状であることが好ましい。
【００２８】
本発明のレンズホルダにおいて、前記巻線型のトラッキングコイル及び／又は前記巻線型のフォーカシングコイルの中心部には、位置決め用の中空部が設けられているように構成することができる。
【００２９】
本発明のレンズホルダにおいて、前記位置決め用中空部は、略四角形状に形成されているように構成することができる。
【００３０】
本発明のレンズホルダにおいて、前記巻線型のトラッキングコイル及び／又は前記巻線型のフォーカシングコイルの端面は、レンズホルダの側面に露出しているように構成することができる。
【００３１】
本発明のレンズホルダにおいて、巻線型のトラッキングコイル及び／又は巻線型のフォーカシングコイルの中心部を位置決めするボスを備えるように構成することができる。
【００３２】
本発明のレンズホルダにおいて、前記ボスは、複数の略円柱形状の凸部から構成されるボスであることが好ましい。
【００３３】
また、上記課題を解決するための本発明のレンズホルダの組立方法は、光ディスクに記録されている情報の読み出し等を行う光ピックアップ装置に用いられるレンズホルダの組立方法であって、前記レンズホルダの側面の突出したボスに、巻線型のトラッキングコイル及び／又は巻線型のフォーカシングコイルを位置決めする工程と、前記巻線型のトラッキングコイル及び／又は前記巻線型のフォーカシングコイルを前記レンズホルダに仮接着する工程と、端子板を前記レンズホルダに固定する工程と、前記巻線型のトラッキングコイル及び／又は巻線型のフォーカシングコイルのリード線を前記端子板に結線する工程と、前記巻線型のトラッキングコイル及び／又は巻線型のフォーカシングコイルと前記レンズホルダとに接着剤を塗布する工程と、前記接着剤を硬化させる工程と、を含むことを特徴とする。
【発明の効果】
【００３４】
本発明のレンズホルダによれば、光ディスクの面及び光ディスクのトラックの接線に直角となる側面を有し、その側面に巻線型のトラッキングコイル及び／又は巻線型のフォーカシングコイルを位置決めするための突出したボスを備えるので、レンズホルダに対して巻線型のトラッキングコイル及び／又は巻線型のフォーカシングコイルを嵌合させてから接着を行うことが可能となり、レンズホルダに対する巻線型のトラッキングコイル及び／又は巻線型のフォーカシングコイルの位置決めと接着とを容易にすることができる。
【００３５】
また、本発明のレンズホルダによれば、光ディスクの面及び光ディスクのトラックの接線に直角となる側面を有し、巻線型のトラッキングコイル及び／又は巻線型のフォーカシングコイルを前記側面に接着する構成としたので、例えばレンズホルダのレンズ面にフォーカシングコイルを設ける場合と比較して、フォーカシングコイルの配置に対しての自由度を大きくすることが可能となる。その結果、試作段階での巻数の増減や、コイルの外形寸法の増減、コイルの内形寸法の増減、コイルの有効長の増減、コイルの線径の増減、レンズホルダのストロークの変更等の設計変更を、レンズホルダの厚さ又はレンズホルダの側面の大きさの範囲内で、比較的容易に行うことが可能となる。これにより、開発費用の増加を防止し、開発期間の延長を防止することが可能となる。
【００３６】
また、本発明のレンズホルダによれば、巻線型のトラッキングコイル及び／又は巻線型のフォーカシングコイルの端面をレンズホルダの側面に露出させているので、磁界の強い領域に多くの導線を集中して配置することが可能となり、コイルにより発生する推力を増大させることができ、レンズホルダの制御性を向上させることが可能となる。その結果、レンズホルダにおけるフォーカシング又はチルティングの制御性を向上させて、光ディスク装置における情報の読み出し又は情報の書き込みを高速に行うことが可能となる。
【００３７】
また、本発明のレンズホルダによれば、コイルとレンズホルダとを直接接着するので、コイルとレンズホルダ間の接続剛性を高めることができる。これにより、レンズホルダを駆動する際の周波数応答性が向上し、レンズホルダの制御性を向上させることができる。また、本発明のレンズホルダでは、レンズホルダに巻線型のコイルを直接接着するので、従来コイルとして用いていた多層基板が不要となる。
【００３８】
したがって、本発明のレンズホルダによれば、レンズホルダを軽量化させることが可能となり、レンズホルダの制御性を向上させることができる。また、前述のように、巻線の巻数を増加させる仕様変更も容易にできるので、電源電圧の仕様変更や駆動回路の仕様変更に対して柔軟かつ迅速に対応することが可能となる。それゆえ、常に仕様に合致した推力を有するレンズホルダを提供することが可能となるので、光ディスク装置におけるトラッキング駆動、フォーカシング駆動、又はチルティング駆動の制御性を良好な状態に維持することができ、光ディスク装置における情報の読み出し又は情報の書き込みを高速に行うことが可能となる。
【００３９】
また、本発明のレンズホルダは、光ディスクの面及び光ディスクのトラックの接線に直角となる側面に、光ディスクの面に対して垂直の方向に長い略直方体形状の巻線型のトラッキングコイルと、光ディスクのトラックの法線に対して平行な方向に長い略直方体形状の巻線型のフォーカシングコイルとを接着したので、限られた範囲の磁界中に、より多くの導線を置くことが可能となる。これにより、トラッキングコイルにより発生する推力を増大させることができるので、レンズホルダにおけるトラッキングの制御性を向上させることが可能となる。その結果、光ディスク装置における情報の読み出し又は情報の書き込みを高速に行うことが可能となる。
【００４０】
また、本発明のレンズホルダによれば、巻線型のトラッキングコイル及び／又は巻線型のフォーカシングコイルの中心部に、位置決め用の中空部を備えたので、レンズホルダに対するコイルの位置決め精度を向上させて、トラッキング駆動、フォーカシング駆動、及びチルティング駆動相互間のクロストークを減少させ、レンズホルダの制御性を向上させることが可能となる。その結果、レンズホルダにおけるフォーカシング又はチルティングの制御性を向上させて、光ディスク装置における情報の読み出し又は情報の書き込みを高速に行うことが可能となる。
【００４１】
巻線型のコイルは内側から外側に向かって巻いてゆくので、コイルの捲数を変更してもコイルの中心部の形状は不変である。したがって、本発明のレンズホルダによれば、試作段階での巻数の増減や、コイルの外形寸法の増減、コイルの内形寸法の増減、コイルの有効長の増減、コイルの線径の増減、レンズホルダのストロークの増減等の設計変更を、レンズホルダの厚さ又はレンズホルダの側面の大きさの範囲内で容易に行うことが可能となる。これにより、巻線の仕様に変更が生じた場合であっても、開発費用の増加を防止し、開発期間の延長を防止することが可能となる。
【００４２】
また、本発明のレンズホルダによれば、巻線型のトラッキングコイル及び／又は巻線型のフォーカシングコイルの中心部に略四角形状の位置決め用中空部を備えたので、レンズホルダに対するコイルの位置決め精度を向上させて、トラッキング駆動、フォーカシング駆動、及びチルティング駆動相互間のクロストークを減少させ、レンズホルダの制御性を向上させることが可能となる。その結果、レンズホルダにおけるフォーカシング又はチルティングの制御性を向上させて、光ディスク装置における情報の読み出し又は情報の書き込みを高速に行うことが可能となる。
【００４３】
また、本発明のレンズホルダによれば、巻線型のトラッキングコイル及び／又は巻線型のフォーカシングコイルの端面をレンズホルダの側面に露出させているので、磁界の強い領域に多くの導線を集中して配置することが可能となり、コイルにより発生する推力を増大させることができ、レンズホルダの制御性を向上させることが可能となる。その結果、レンズホルダにおけるフォーカシング又はチルティングの制御性を向上させて、光ディスク装置における情報の読み出し又は情報の書き込みを高速に行うことが可能となる。
【００４４】
また、本発明のレンズホルダによれば、光ディスクの面及び光ディスクのトラックの接線に直角となるレンズホルダの側面に、巻線型のトラッキングコイル及び／又は巻線型のフォーカシングコイルを位置決めするボスを備えたので、レンズホルダのボスに対して巻線型のトラッキングコイル及び／又は巻線型のフォーカシングコイルを嵌合させてから接着を行うことが可能となり、レンズホルダの位置決めを容易にすると共に、位置決めの精度を向上させることが可能となる。また、巻線型のトラッキングコイル及び／又は巻線型のフォーカシングコイルと接着剤との接触面積を増大させて、確実に接着をすることができる。
【００４５】
また、本発明のレンズホルダによれば、巻線型のトラッキングコイル及び／又は巻線型のフォーカシングコイルの中心部を位置決めするボスをレンズホルダの側面に形成し、そのボスを複数の略円柱形状の凸部から構成したので、巻線型のコイルとレンズホルダとの位置決め精度を維持しつつ、巻線型のコイルとレンズホルダと間に接着剤を充填し易くすることができる。更に、レンズホルダのボスの形状を変更することなく、試作段階でのコイルの巻数の増減や、コイルの外形寸法の増減、コイルの線径の増減、レンズホルダのストロークの増減等の設計変更を、レンズホルダの厚さ又はレンズホルダの側面の大きさの範囲内で容易に行うことが可能となる。これにより、仕様変更が生じた場合であっても、光ピックアップの開発費用の増加を防止し、開発期間の延長を防止することが可能となる。
【００４６】
また、本発明のレンズホルダによれば、レンズホルダに直接巻線型のトラッキングコイル及び／又は巻線型のフォーカシングコイルを接着しているので、従来のＦＰＣや多層基板を用いた光ピックアップと比較してＦＰＣ等の材料のぶんだけ多くのコイルを巻くことが可能となり、駆動の際の推力を増大させてレンズホルダの制御性を向上させることが可能となる。
【００４７】
また、本発明のレンズホルダによれば、各コイルに巻線型のコイルを用いているので、ＦＰＣや多層基板で発生していた基板の損傷や断線によるトラブルを防止することが可能となる。また、ＦＰＣや多層基板を用いていないので、レンズホルダの小型化や軽量化を図ることができ、レンズホルダの剛性を高くすることができる。
【００４８】
また、本発明のレンズホルダによれば、各コイルに圧縮加工等を行った高密度コイルを用いることが可能となる。これにより、レンズホルダの小型化と、コイルの形状を従来の樽型から直方体に近い良好な形状に管理して、各コイルの位置決め精度を向上させると共に、各コイルにより発生する推力を向上させることが可能となる。
【００４９】
また、本発明のレンズホルダの組立方法によれば、レンズホルダの側面の突出したボスに、巻線型のトラッキングコイル及び／又は巻線型のフォーカシングコイルを位置決めする工程と、巻線型のトラッキングコイル及び／又は巻線型のフォーカシングコイルをレンズホルダに仮接着する工程と、端子板をレンズホルダに固定する工程と、巻線型のトラッキングコイル及び／又は巻線型のフォーカシングコイルのリード線を端子板に結線する工程と、巻線型のトラッキングコイル及び／又は巻線型のフォーカシングコイルとレンズホルダとに接着剤を塗布する工程と、当該接着剤を硬化させる工程とを介してレンズホルダを組み立てるようにしたので、コイルとレンズホルダ間の接続剛性が高いレンズホルダを容易に組み立てることが可能となる。その結果、固有振動数が高く、周波数応答性が良好で、制御性の良好なレンズホルダを安価にて提供することが可能となる。
【発明を実施するための最良の形態】
【００５０】
以下、本発明を実施するための最良の形態を、図面に基づき説明する。なお、本発明の技術的範囲は以下の実施形態に限定解釈されるものではない。
【００５１】
図１は、本発明に係るレンズホルダを備えた光ピックアップ装置を、光ディスク側から見た斜視図である。本発明に係る光ピックアップ装置１０は、パーソナルコンピュータ等の電子機器に搭載される光ディスクドライバに使用可能な装置であり、光ディスクのピットトラックに沿って同図のＴｒ方向に移動するように制御する移動体である。
【００５２】
光ピックアップ装置１０は、図１に示すように、光ディスクに対して対向するように配置したレンズ２２を保持するレンズホルダ２０と、レンズホルダ２０を光ディスクのトラッキング方向（図１に示すＴｒ方向）とフォーカシング方向（図１に示すＦｏ方向）に小変位させることが可能であると共に、チルティング方向（図１に示すＴｉ方向）に微小角度回動可能に支持する６本のサスペンションワイヤ１４と、を備えている。なお、本発明は、サスペンションワイヤの本数を限定するものではなく、電極数等の要求に応じて例えばサスペンションワイヤを４本設けるようにしてもよい。
【００５３】
光ピックアップ装置１０には、トラッキング、フォーカシング、チルティングの駆動力を発生させるための磁力を発生する第１の磁石３０と第２の磁石３２とを設けてあり、これらの磁石は、ダンパベース１２に固定している。また、このダンパベース１２は、６本のサスペンションワイヤ１４の一端を保持している。
【００５４】
本発明では、限られたスペース内で所望の磁力線を得るために、前記第１の磁石３０と第２の磁石３２に、一つの面内に複数の磁極を有する分極磁石を用いている。
【００５５】
図１には示していないが、光ピックアップ装置１０には、レーザービームを発生する半導体レーザと、半導体レーザが発したレーザービームを分岐するビームスプリッタと、レーザービームを受光して光の強度に相当する電気信号を出力するモニタ装置と、レーザービームを平行光に変換するコリメートレンズと、レーザービームの向きを変える立ち上げミラーと、光ディスクで反射したレーザービームを入力して電気信号に変換するフォトダイオードと、を設けてある。
【００５６】
レンズ２２は、レーザービームを集光して光ディスクに照射することが可能となっている。そして、光ディスクから反射した光は、再びレンズ２２を通過して平行光になり、立ち上げミラーで反射されてコリメートレンズを通過してビームスピリッタを通過し、フォトダイオード上に結像して電気信号に変換される。
【００５７】
光ピックアップ装置１０は、光ディスクの偏心運動等によるピットトラックの振れに追従するために、レンズホルダ２０自体を光ディスクのトラックの法線方向（図１に示すＴｒ方向）に微小変位駆動するトラッキング駆動機構を設けてある。このトラッキング駆動機構は、第１の磁石３０と、第２の磁石３２と、トラッキングコイル２４とから成るものである。
【００５８】
また、光ディスクのピットにレーザービームを合焦させるために、レンズホルダ２０自体を光ディスクの面の直角方向（図１に示すＦｏ方向）に微小変位駆動するフォーカシング駆動機構を設けてある。このフォーカシング駆動機構は、第１の磁石３０と、第２の磁石３２と、フォーカシングコイル２６とから成るものである。
【００５９】
また、光ディスクのうねりによるピットトラックの振れに追従するために、レンズホルダ２０自体を光ディスクのトラックの接線方向と平行な軸回り（図１に示すＴｉ方向）に微小角度回動駆動するチルティング駆動機構を設けてある。このチルティング駆動機構は、第１の磁石３０と、第２の磁石３２と、フォーカシングコイル２６とから成るものである。
【００６０】
図２は、本発明に係るレンズホルダの外観斜視図である。図３は、図２に示したレンズホルダの側面と、トラッキングコイル及びフォーカシングコイルとを接着している接着剤２７を明示的に表した図である。
【００６１】
図２に示すように、光ディスクの面及び光ディスクのトラックの接線に対して直角となるレンズホルダ２０の２面（面Ｑ及び面Ｐ）には、光ディスクの面に対して垂直方向（同図に示すＦｏ方向）に長い略直方体形状であって中心部に位置決め用の略四角形状の中空部を有するトラッキングコイル２４と、光ディスクのトラックの法線（同図に示すＶｒ及びＴｒ方向）に対して平行な方向に長い略直方体形状であって中心部に位置決め用の略四角形状の中空部を有するフォーカシングコイル２６とを、接着剤２７（図３参照）を用いて接着してある。
【００６２】
接着剤２７は、図３に示すように、レンズホルダ２０の側面と、トラッキングコイル２４及びフォーカシングコイル２６の中空部及び外周とに接するように塗布し、各コイルとレンズホルダ２０とを固定する。
【００６３】
トラッキングコイル２４及びフォーカシングコイル２６は、図２及び図３に示すように、導線を巻いた巻線コイルである。これらのコイルとして、圧縮加工等を行った高密度コイルを用いることにより、コイルの更なる高密度化と小型化を図ることができると共に、コイルの形状をより直方体に近い形状に管理することが可能となる。
【００６４】
各コイルとレンズホルダとを接着する接着剤として、熱硬化型の接着剤を用いる場合には、接着剤を硬化させる際に１００℃程度の高温に３０分程維持する必要があるので、各コイルの線材に、耐熱性の高い樹脂皮膜等を備えた線材を用いるとよい。
【００６５】
また、レンズホルダ２０の対向する２面であって、光ディスクの面及び光ディスクのトラックの法線に直角な２面には、２つのトラッキングコイル２４及び２つのフォーカシングコイル２６から取り出したリード線２８を端子４４に接続し、それぞれのコイルを用途に応じて直列又は並列に結線して中継する第１の端子板４０と第２の端子板４２とを接着してある。この第１の端子板４０と第２の端子板４２は、トラッキングコイル２４又はフォーカシングコイル２６から取り出したリード線を中継するための端子として機能する基板である。図２に示す実施形態では、第１の端子板４０及び第２の端子板４２は、レンズホルダ２０から突出している端子板位置決ボス４６に位置決めされている。
【００６６】
なお、２つのトラッキングコイル２４及び２つのフォーカシングコイル２６に供給する電流は、ダンパベース１２からサスペンションワイヤ１４と第１の端子板４０及び第２の端子板４２とを経由して、２つのトラッキングコイル２４及び２つのフォーカシングコイル２６に供給する。
【００６７】
図４は、本発明に係るレンズホルダに、巻線型のトラッキングコイル２４及び巻線型のフォーカシングコイル２６を接着する際のレンズホルダ２０と、第１の端子板４０及び第２の端子板４２の断面図である。なお、同図は、図２及び図３のＡ−Ａ断面を示している。
【００６８】
図４に示すように、レンズホルダ２０の側面の２面（面Ｑ及び面Ｐ）には、トラッキングコイル２４を位置決めするための突出したボス３６及び、フォーカシングコイル２６を位置決めするための突出したボス３６を備えている。
【００６９】
図４に示す実施の形態では、ボス３６は、巻線型のトラッキングコイル２４及び巻線型のフォーカシングコイル２６の中心部を位置決めするものであるが、本発明はコイルの中心部を位置決めするボスに限定するものではない。なお、巻線型のコイルは通常内側を基準に導線を巻いてゆくので、コイルの内側は寸法精度が優れている。したがって、コイルの中心部に位置決めに適した略四角形状の中空部を設け、この中空部とボス３６を用いてコイルを位置決めすると都合が良い。
【００７０】
また、コイルの捲数や線径を変更した場合には、外形寸法は変化するが、コイル内側の寸法は変化しない。したがって、ボス３６を用いてコイルの中心部を位置決めすることにより、コイルの仕様によらず、巻線型のトラッキングコイル２４及び巻線型のフォーカシングコイル２６の位置決め精度を維持し易くなるという利点がある。
【００７１】
また、図４に示す実施の形態では、ボス３６は６本の略円柱形状の凸部から構成されているが、本発明はボスの本数や形状を限定するものではない。なお、一般にレンズホルダ２０は樹脂を射出成形して製造するので、ボス３６を円柱形状の凸部とすることにより、レンズホルダ２０の側面に凸部を形成するための金型の加工及び管理が容易となる。また、直径０．２ｍｍ〜０．５ｍｍ程度の６本の細いボスでコイルの中空部を位置決めすることにより、各コイル及びレンズホルダ２０と接着剤との接触面積を増加させて、各コイルとレンズホルダ２０との接着をより確実なものとすることができる。なお、ボス３６は、図４に示すような円筒状のボスであってもよいし、コイルの挿入を容易にするためにテーパー形状としてもよいし、先端部を球形に形成してもよいし、角柱形状又は角錐形状に形成してもよい。このとき、ボス３６の先端部の径を、ボス３６の胴体部の径よりも大きくしておけば、ボス３６に挿入したコイル７０の抜けを防ぐことができる。
）
【００７２】
また、図４に示すように、レンズホルダ２０の側面に巻線型のトラッキングコイル２４及び巻線型のフォーカシングコイル２６を露出させて接着することにより、磁界の強い領域に多くの導線を集中して配置することが可能となり、コイルにより発生する推力を増大させることができるので、レンズホルダの制御性を向上させることが可能となる。
【００７３】
２つのトラッキングコイル２４と２つのフォーカシングコイル２６は、レンズホルダ２０の２つの側面（面Ｑ及び面Ｐ）に、レンズホルダ２０の中心Ｚに対して点対称になる位置に接着する。２つのフォーカシングコイル２６を中心Ｚに対して点対称に配置する理由は、２つのフォーカシングコイル２６を用いてフォーカシング駆動とチルティング駆動とを実現するためである。なお、このトラッキングコイル又はフォーカシングコイルは必ずしも２組である必要はなく１組であってもよいし、３組以上設けても本発明の目的を達成することが可能である。
【００７４】
また、図４に示すように、トラッキングコイル２４及びフォーカシングコイル２６を、レンズホルダ２０の側面に直接接着している。したがって、磁界の中に置かれたトラッキングコイル２４又はフォーカシングコイル２６に制御電流を流すと、コイルは磁界及び電流の方向に対して垂直な方向に推力を発生する。このコイルの推力は、レンズホルダ２０を組成する素材（例えば樹脂）に直接伝わって、レンズホルダ２０を駆動することができる。
【００７５】
レンズホルダ２０をトラッキング駆動する際には、例えば２つのトラッキングコイル２４に対して同相の電流を流す。すると、２つのトラッキングコイル２４は同方向のトラッキング方向（図１に示すＴｒ方向）に推力を発生するので、レンズホルダ２０をＴｒ方向にトラッキング駆動する。したがって、レーザービームを光ディスクのピットトラックに追従させるための駆動制御を行うことが可能となる。
【００７６】
レンズホルダ２０をフォーカシング駆動する際には、例えば２つのフォーカシングコイル２６に対して同相の電流を流す。すると、２つのフォーカシングコイル２６は同方向のフォーカス方向（図１に示すＦｏ方向）に推力を発生し、レンズホルダ２０をＦｏ方向にフォーカシング駆動する。したがって、レーザービームを光ディスクのピットに合焦させるための駆動制御を行うことが可能となる。
【００７７】
また、レンズホルダ２０をチルティング駆動する場合には、例えば２つのフォーカシングコイル２６に対して逆相の電流を流す。すると、２つのフォーカシングコイル２６は互いに異なる方向に推力を発生し、レンズホルダ２０をＴｉ回りにチルティング駆動する。したがって、レーザービームを光ディスクのピットトラックに追従させるための駆動制御を行うことが可能となる。
【００７８】
次に、レンズホルダ２０にトラッキングコイル２４、フォーカシングコイル２６、第１の端子板４０及び第２の端子板４２を接着する組立方法について説明する。
【００７９】
先ず、トラッキングコイル２４及びフォーカシングコイル２６の製造方法について概略説明する。トラッキングコイル２４及びフォーカシングコイル２６は、巻線機に巻き付け用の治具をセットして、コイルの中心部から所定の捲数巻いてゆく。トラッキングコイル２４及びフォーカシングコイル２６の中空部及び端面は、巻線を行う際の治具（ボビン）と当接している部分であり、特にコイルの中空部は、巻線を開始する基準位置に該当する。そのため、コイルの線径や捲数が多少異なる場合であっても、コイルの中空部の寸法は同一であり、寸法の精度が良い部分である。
【００８０】
コイルの線材は、電気抵抗の少ない導体（芯線）の周囲に絶縁用のエナメル層を有し、そのエナメル層の周囲には、空芯コイルの形状を整えておくためのナイロン等から構成される融着層を有している。巻線型のコイルを巻く際には、線材を融着層が溶ける温度まで加熱した状態にしておきながら、治具を用いて所定の捲数巻き付けてゆく。線材の巻き付け処理が終了した状態では、隣り合う線材同士は融着層により融着している。したがって、巻き終わったコイルを冷却してボビンから取り外すと、空芯のコイルが完成する。
【００８１】
次に、成形したレンズホルダ２０の側面に存在するボス３６に、巻線型のトラッキングコイル２４及び巻線型のフォーカシングコイル２６を位置決めする。このとき、予め仮止め用の接着剤をレンズホルダ２０のコイル取付部に塗布しておき、トラッキングコイル２４及びフォーカシングコイル２６と、レンズホルダ２０とを仮接着しておくと後の作業が容易となる。
【００８２】
次に、端子板４０及び端子盤４２をレンズホルダ２０の側面に固定する。図２〜図４に示す実施形態では、端子板位置決ボス４６を用いて端子板４０及び端子盤４２を位置決めすることによって、組み立てを容易にしている。端子板４０及び端子盤４２とレンズホルダ２０との固定方法は、接着を用いてもよいし、カシメ、嵌合、溶着等の手法を用いてもよく、本発明は端子板４０及び端子盤４２の固定方法を限定するものではない。
【００８３】
次に、トラッキングコイル２４及びフォーカシングコイル２６のリード線を、端子板２４及び２６の端子４４に半田付けにより結線する。そして、トラッキングコイル２４及びフォーカシングコイル２６と、レンズホルダ２０とを結合させるための接着剤を塗布し、接着剤を硬化させる処理を行う。接着剤として熱硬化型の接着剤を用いる場合には、接着剤塗布後のレンズホルダ２０を炉の中に入れて、加熱処理する。
【００８４】
このようにして、レンズホルダ２０に、トラッキングコイル２４、フォーカシングコイル２６、第１の端子板４０及び第２の端子板４２が接着されたレンズホルダ２０が完成する。
【００８５】
次に、レンズホルダ２０とコイル７０とを位置決めするボスの形状のバリエーションについて説明する。
【００８６】
図５は、コイル７０の中心部に存在する中空部７２を位置決めするボスとして、６本の円柱形状の凸部から構成されるボス３６を用いた実施形態を示す斜視図である。
【００８７】
図５に示すように、略直方体形状のコイル７０（トラッキングコイル又はフォーカシングコイル）の中心部には、位置決め用の中空部７２を設けてある。同図に示す例では、コイル７０をレンズホルダ２０の側面に位置決めさせるために、コイル７０に設けた中空部７２の形状を略四角形状としている。コイル７０の中空部７２を、６本の円柱形状の凸部から構成されるボス３６を用いて位置決めすることによって、同図に示すＸ方向及びＹ方向の位置決めに加えて、Θ回りの位置決めを行うことを可能としている。また、円柱形状の凸部から構成される小型のボス３６を用いることによって、レンズホルダ２０の質量を軽くすることができる。
【００８８】
図６は、コイル７０の外周部を位置決めするボスとして、６本の円柱形状の凸部から構成されるボス３６を用いた実施形態を示す斜視図である。
【００８９】
図６に示すように、コイル７０の外周を用いて、コイル７０とレンズホルダ２０とを位置決めすることも可能である。この実施形態の場合にも、同図に示すＸ方向及びＹ方向の位置決めに加えて、Θ回りの位置決めを行うことができる。
【００９０】
図７は、コイル７０の中心部に存在する中空部７２を位置決めするボスとして、４本の円柱形状の凸部から構成されるボス３６を用いた実施形態を示す斜視図である。
【００９１】
図７に示すように、コイル７０を位置決めするために、４本の円柱形状の凸部から構成されるボス３６を用いるようにしてもよい。この場合には、中空部７２の四隅にボス３６を配置するとよい。この実施形態の場合にも、同図に示すＸ方向及びＹ方向の位置決めに加えて、Θ回りの位置決めを行うことができる。
【００９２】
コイルの形状として、図５〜図７に示したような略直方体形状を用いることが磁界のスペース上好都合であるが、必ずしも略直方体形状に限定するものではなく、以下の図８にて説明するような長円の柱形状としてもよいし、菱形の柱形状、三角柱形状、円柱形状としても本発明の目的を達成することが可能である。また、コイルの中空部の形状やボスの形状も、四角形状に限定するものではない。
【００９３】
図８は、長円の柱形状のコイル７４と、ボス３６との関係を示す他の実施例の斜視図である。
【００９４】
図８に示すように、長円の柱形状のコイル７４（トラッキングコイル又はフォーカシングコイル）の中心部には、位置決め用の中空部７６を設けてある。同図に示す例では、コイル７４をレンズホルダ２０の側面に設けた２つの円柱形状のボス３６と嵌合させて位置決めさせるために、コイル７４に設けた中空部７６の形状を長円形状としている。同図に示す例では、中空部７６の形状を長円形状とすることによって、同図に示すＸ方向及びＹ方向の位置決めに加えて、Θ回りの位置決めを行うことを可能としている。
【００９５】
図９は、略直方体形状のコイル７０と直方体形状のボス９２との関係を示す他の実施例の断面斜視図である。
【００９６】
図９に示す例は、略直方体形状のコイル７０の中心部に存在する中空部７２を位置決めするボスとして、直方体形状の凸部から構成されるボス９２を、レンズホルダ２０の側面に設けた実施形態を示す斜視図である。中空部７２とボス９２の形状を略四角形状とすることによって、同図に示すＸ方向及びＹ方向の位置決めに加えて、Θ回りの位置決めを行うことを可能としている。
【００９７】
図１０は、略直方体形状のコイル７０と、四隅を取り除いた直方体形状のボス９４との関係を示す他の実施例の断面斜視図である。
【００９８】
図１０に示す例は、略直方体形状のコイル７０の中心部に存在する中空部７２を位置決めするボスとして、四隅を取り除いた直方体形状の凸部から構成されるボス９４を、レンズホルダ２０の側面に設けた実施形態を示す斜視図である。
【００９９】
コイル７０の中空部７２の形状を略四角形状とし、ボス９４の形状を四隅を取り除いた直方体形状のボスとすることによって、コイル７０の中空部７２の四隅の扇形の部分とボス９４との干渉を避けて、位置決めを行うことができる。したがって、同図に示すＸ方向及びＹ方向の位置決めに加えて、Θ回りの位置決めを行うことを可能としている。
【０１００】
図１１は、略直方体形状のコイル７０とボス１００との関係を示す他の実施例の断面斜視図である。
【０１０１】
図１１に示す例は、略直方体形状のコイル７０の外周を、レンズホルダ２０の側面に設けた略直方体形状の内面を有するボス１００と嵌合させて位置決めさせる実施例である。同図に示す例では、ボス１００の内面形状をコイル７０の外周形状と合わせることによって、同図に示すＸ方向及びＹ方向の位置決めに加えて、Θ回りの位置決めを行うことが可能となる。
【０１０２】
この実施例の場合にも、コイルの形状は略直方体形状とすることが好ましいが、必ずしも略直方体形状に限定するものではなく、図８に示したような長円の柱形状としてもよいし、菱形の柱形状、三角柱形状、円柱形状としても本発明の目的を達成することが可能である。
【０１０３】
なお、図４〜図１１に示す各例において、ボス３６の先端部（コイルが挿入される側の先端部）の径又はボス９２，９４，１００の先端部（コイルが挿入される側の先端部）の幅を、ボスの胴体部の径又は幅よりも大きくしておけば、ボス６、９２，９４，１００に挿入したコイル７０、７４の抜けを防ぐことができるという利点がある。このとき、胴体部の径又は幅と、その径又は幅よりも大きくする先端部の径又は幅との差は任意であるが、一例を挙げればコイルを構成する線材の径の半分程度であればよい。
【図面の簡単な説明】
【０１０４】
【図１】本発明に係るレンズホルダを備えた光ピックアップ装置を、光ディスク側から見た斜視図である。
【図２】本発明に係るレンズホルダの外観斜視図である。
【図３】レンズホルダの側面と、トラッキングコイル及びフォーカシングコイルとを接着している接着剤を明示的に表した図である。
【図４】本発明に係るレンズホルダにトラッキングコイル及びフォーカシングコイルをインサート成形する際のレンズホルダと金型の断面図である。
【図５】６本の円柱形状の凸部から構成されるボスを用いてコイルの中空部を位置決めする実施形態を示す斜視図である。
【図６】６本の円柱形状の凸部から構成されるボスを用いてコイルの外周部を位置決めする他の実施形態を示す斜視図である。
【図７】４本の円柱形状の凸部から構成されるボスを用いてコイルの中空部を位置決めする他の実施形態を示す斜視図である。
【図８】２本の円柱形状の凸部から構成されるボスを用いてコイルの中空部を位置決めする他の実施形態を示す斜視図である。
【図９】直方体形状の凸部から構成されるボスを用いてコイルの中空部を位置決めする他の実施形態を示す斜視図である。
【図１０】四隅を取り除いた直方体形状の凸部から構成されるボスを用いてコイルの中空部を位置決めする他の実施形態を示す斜視図である。
【図１１】略直方体形状の凸部から構成されるボスを用いてコイルの外周部を位置決めする他の実施形態を示す斜視図である。
【符号の説明】
【０１０５】
１０  光ピックアップ装置
１２  ダンパベース
１４  サスペンションワイヤ
２２  レンズ
２０  レンズホルダ
２４  トラッキングコイル
２６  フォーカシングコイル
２７  接着剤
２８  リード線
３０  第１の磁石
３２  第２の磁石
３６  ボス
４０  第１の端子板
４２  第２の端子板
４４  端子
４６  端子板位置決ボス
７０、７４  コイル
７２、７６  中空部
９２、９４、１００  ボス
【図１】
2008059625.tif 000003
【図２】
2008059625.tif 000004
【図３】
2008059625.tif 000005
【図４】
2008059625.tif 000006
【図５】
2008059625.tif 000007
【図６】
2008059625.tif 000008
【図７】
2008059625.tif 000009
【図８】
2008059625.tif 000010
【図９】
2008059625.tif 000011
【図１０】
2008059625.tif 000012
【図１１】
2008059625.tif 000013